(57)【要約】【課題】  複数種類の綴じ処理のそれぞれで何枚のシートを綴じることができるのかをユーザが確認できるようにする。【解決手段】  画像処理装置は、シートに画像を印刷し、画像が印刷されたシートを複数の綴じ部のうちの１つに綴じさせる。さらに、画像処理装置は、シートを綴じるのに使用する綴じ処理をユーザに指定させ、ユーザによって指定された綴じ処理で綴じることができるシートの枚数と、ユーザによって指定されなかった綴じ処理で綴じることができるシートの枚数とをそれぞれユーザに通知する。【選択図】  図１１
2014008642.tif 000002
【特許請求の範囲】
【請求項１】
シートに画像を印刷し、複数種類の綴じ処理のそれぞれを実行する複数の綴じ部のうちの１つにシートを綴じさせることができる画像処理装置であって、
シートに画像を印刷する印刷手段と、
前記印刷手段によって画像が印刷されたシートを前記複数の綴じ部のうちの１つに綴じさせる制御手段と、
シートを綴じるのに使用する綴じ処理をユーザが指定するのを可能にする指定手段と、
前記ユーザによって指定された綴じ処理で綴じることができるシートの枚数と、前記ユーザによって指定されなかった綴じ処理で綴じることができるシートの枚数とをそれぞれ前記ユーザに通知する通知手段を有することを特徴とする画像処理装置。
【請求項２】
前記通知手段が、前記ユーザによって指定された綴じ処理で綴じることができるシートの枚数と、前記ユーザによって指定されなかった綴じ処理で綴じることができるシートの枚数とを通知した後、前記指定手段は、シートを綴じるのに使用する綴じ処理を前記ユーザが変更するのを可能にし、
前記制御手段は、変更された綴じ処理を実行する綴じ部にシートを綴じさせることを特徴とする請求項１に記載の画像処理装置。
【請求項３】
印刷に使用するシートのサイズまたは種類に基づいて、前記複数の綴じ処理のそれぞれで綴じることができるシートの枚数を決定する決定手段を有することを特徴とする請求項１または２に記載の画像処理装置。
【請求項４】
前記複数の綴じ処理のそれぞれで綴じることができるシートの枚数をシートのサイズごとまたはシートの種類ごとに示すテーブルを記憶する記憶手段を有し、
前記決定手段は前記テーブルを参照して、前記複数の綴じ処理のそれぞれで綴じることができるシートの枚数を決定することを特徴とする請求項３に記載の画像処理装置。
【請求項５】
サイズが同じで種類の異なる複数のシートのうち、ユーザによって指定された綴じ処理で綴じることができる枚数が最も大きいシートを、印刷に使用するシートとして選択する選択手段を有し、
前記印刷手段は、前記選択手段で選択したシートに画像を印刷することを特徴とする請求項１乃至４のいずれか１項に記載の画像処理装置。
【請求項６】
前記画像処理装置は、前記複数の綴じ部を有するシート処理装置と１つの綴じ部を有するシート処理装置とのそれぞれに接続でき、
画像処理装置が１つの綴じ部を有するシート処理装置と接続している場合、前記通知手段は一つの綴じ処理について当該綴じ処理で綴じることができるシートの枚数を前記ユーザに通知することを特徴とする請求項１乃至５のいずれか１項に記載の画像処理装置。
【請求項７】
前記複数の綴じ部は、針を使ってシートを綴じる第１の綴じ部と針を使わずにシートを綴じる第２の綴じ部であることを特徴とする請求項１乃至３のいずれか１項に記載の画像処理装置。
【請求項８】
シートに画像を印刷し、複数種類の綴じ処理のそれぞれを実行する複数の綴じ部のうちの１つにシートを綴じさせることができる画像処理装置であって、
原稿の画像を読み取る読取手段と、
シートに前記画像を印刷する印刷手段と、
前記印刷手段によって画像が印刷されたシートを前記複数の綴じ部のうちの１つに綴じさせる制御手段と、
シートを綴じるのに使用する綴じ処理をユーザが指定するのを可能にする指定手段と、
前記ユーザによって指定された綴じ処理を使用できる原稿の枚数と、前記ユーザによって指定されなかった綴じ処理を使用できる原稿の枚数とをそれぞれ前記ユーザに通知する通知手段を有することを特徴とする画像処理装置。
【請求項９】
印刷に使用するシートのサイズまたは種類に基づいて、前記複数の綴じ処理のそれぞれで綴じることができるシートの枚数を決定して、前記複数の綴じ処理のそれぞれを使用できる原稿の枚数を決定する決定手段を有することを特徴とする請求項８に記載の画像処理装置。
【請求項１０】
前記複数の綴じ処理のそれぞれで綴じることができるシートの枚数をシートのサイズごとまたはシートの種類ごとに示すテーブルを記憶する記憶手段を有し、
前記決定手段は前記テーブルを参照して、前記複数の綴じ処理のそれぞれで綴じることができるシートの枚数を決定することを特徴とする請求項３に記載の画像処理装置。
【請求項１１】
前記決定手段は、原稿の画像をシートに印刷する場合の設定と、前記複数の綴じ処理のそれぞれで綴じることができるシートの枚数とに基づいて、前記複数の綴じ処理のそれぞれを使用できる原稿の枚数を決定することを特徴とする請求項９または１０に記載の画像処理装置。
【請求項１２】
サイズが同じで種類の異なる複数のシートのうち、ユーザによって指定された綴じ処理で綴じることができる枚数が最も大きいシートを、印刷に使用するシートとして選択する選択手段を有し、
前記印刷手段は、前記選択手段で選択したシートに画像を印刷することを特徴とする請求項８乃至１１のいずれか１項に記載の画像処理装置。
【請求項１３】
前記画像処理装置は、前記複数の綴じ部を有するシート処理装置と１つの綴じ部を有するシート処理装置とのそれぞれに接続でき、
前記画像処理装置と１つの綴じ部を有するシート処理装置とが接続されている場合、前記通知手段は一つの綴じ処理について当該綴じ処理を使用できる原稿の枚数を前記ユーザに通知することを特徴とする請求項８乃至１２のいずれか１項に記載の画像処理装置。
【請求項１４】
前記複数の綴じ部は、針を使ってシートを綴じる第１の綴じ部と針を使わずにシートを綴じる第２の綴じ部であることを特徴とする請求項８乃至１３のいずれか１項に記載の画像処理装置。
【請求項１５】
シートに画像を印刷し、複数種類の綴じ処理のそれぞれを実行する複数の綴じ部のうちの１つにシートを綴じさせることができる画像処理装置の制御方法であって、
シートに画像を印刷する印刷ステップと、
画像が印刷されたシートを前記複数の綴じ部のうちの１つに綴じさせる綴じステップと、
シートを綴じるのに使用する綴じ処理をユーザが指定するのを可能にする指定ステップと、
前記ユーザによって指定された綴じ処理で綴じることができるシートの枚数と、前記ユーザによって指定されなかった綴じ処理で綴じることができるシートの枚数とをそれぞれ前記ユーザに通知する通知ステップを有することを特徴とする制御方法。
【請求項１６】
シートに画像を印刷し、複数種類の綴じ処理のそれぞれを実行する複数の綴じ部のうちの１つにシートを綴じさせることができる画像処理装置の制御方法であって、
シートに画像を印刷する印刷ステップと、
画像が印刷されたシートを前記複数の綴じ部のうちの１つに綴じさせる綴じステップと、
シートを綴じるのに使用する綴じ処理をユーザが指定するのを可能にする指定ステップと、
前記ユーザによって指定された綴じ処理を使用できる原稿の枚数と、前記ユーザによって指定されなかった綴じ処理を使用できる原稿の枚数とをそれぞれ前記ユーザに通知する通知ステップを有することを特徴とする制御方法。
【請求項１７】
シートに画像を印刷し、複数種類の綴じ処理のそれぞれを実行する複数の綴じ部のうちの１つにシートを綴じさせることができる画像処理装置のコンピュータを制御する前記コンピュータにより読み取り可能なプログラムであって、
シートに画像を印刷するよう印刷部を制御するステップと、
前記印刷部によって画像が印刷されたシートを綴じるよう前記複数の綴じ部のうちの１つを制御するステップと、
ユーザによって指定された綴じ処理で綴じることができるシートの枚数と、前記ユーザによって指定されなかった綴じ処理で綴じることができるシートの枚数とをそれぞれユーザに通知するステップを前記コンピュータに実行させることを特徴とするプログラム
【請求項１８】
シートに画像を印刷し、複数種類の綴じ処理のそれぞれを実行する複数の綴じ部のうちの１つにシートを綴じさせることができる画像処理装置のコンピュータを制御する前記コンピュータにより読み取り可能なプログラムであって、
シートに画像を印刷するよう印刷部を制御するステップと、
前記印刷部によって画像が印刷されたシートを綴じるよう前記複数の綴じ部のうちの１つを制御するステップと、
ユーザによって指定された綴じ処理を使用できる原稿の枚数と、前記ユーザによって指定されなかった綴じ処理を使用できる原稿の枚数とをそれぞれ前記ユーザに通知するステップを前記コンピュータに実行させることを特徴とするプログラム
【請求項１９】
シートへの画像の印刷を画像処理装置にさせて、画像が印刷されたシートの綴じ処理を複数種類の綴じ処理のそれぞれを実行する複数の綴じ部のうちの１つにさせるための印刷データを、前記画像処理装置に送信する情報処理装置であって、
前記画像処理装置によって画像が印刷されたシートを綴じるのに使用する綴じ処理をユーザが指定するのを可能にする指定手段と、
前記ユーザによって指定された綴じ処理で綴じることができるシートの枚数と、前記ユーザによって指定されなかった綴じ処理で綴じることができるシートの枚数とをそれぞれ前記ユーザに通知する通知手段を有することを特徴とする情報処理装置。
【請求項２０】
シートへの画像の印刷を画像処理装置にさせて、画像が印刷されたシートの綴じ処理を複数種類の綴じ処理のそれぞれを実行する複数の綴じ部のうちの１つにさせるための印刷データを、前記画像処理装置に送信する情報処理装置の制御方法であって、
前記画像処理装置によって画像が印刷されたシートを綴じるのに使用する綴じ処理をユーザが指定するのを可能にする指定ステップと、
前記ユーザによって指定された綴じ処理で綴じることができるシートの枚数と、前記ユーザによって指定されなかった綴じ処理で綴じることができるシートの枚数とをそれぞれ前記ユーザに通知する通知ステップを有することを特徴とする制御方法。
【請求項２１】
シートへの画像の印刷を画像処理装置にさせて、画像が印刷されたシートの綴じ処理を複数種類の綴じ処理のそれぞれを実行する複数の綴じ部のうちの１つにさせるための印刷データを、前記画像処理装置に送信する情報処理装置のコンピュータを制御する前記コンピュータにより読み取り可能なプログラムであって、
前記画像処理装置によって画像が印刷されたシートを綴じるのに使用する綴じ処理をユーザが指定するのを可能にする指定ステップと、
前記ユーザによって指定された綴じ処理で綴じることができるシートの枚数と、前記ユーザによって指定されなかった綴じ処理で綴じることができるシートの枚数とをそれぞれ前記ユーザに通知する通知ステップを前記コンピュータに実行させることを特徴とするプログラム。
【発明の詳細な説明】
【技術分野】
【０００１】
本発明は、シートに画像を印刷して、シートを綴じ部に綴じさせる画像処理装置に関するものである。また、当該画像処理装置に印刷データを送信する情報処理装置に関するものである。
【背景技術】
【０００２】
シートに画像を印刷して、印刷された複数のシートをシート処理装置に綴じさせる画像処理装置が存在する。代表的な綴じ処理としてステイプル綴じ処理がある。ステイプル綴じ処理では、金属の針を使って複数のシートを綴じる。
【０００３】
針を使わないで複数のシートを綴じる方法としては、１組の複数のシートをまとめてくりぬくように切り取り、その切り先を織り込む方法がある（特許文献１）。その他にも、糊で複数のシートを貼りつける方法や、特殊な刃を複数のシートに押しつけて複数のシートをかしめとる方法がある。
【先行技術文献】
【特許文献】
【０００４】
【特許文献１】特開平０８−３００８４７号公報
【発明の概要】
【発明が解決しようとする課題】
【０００５】
針を使わずに複数のシートを綴じる綴じ処理は、針を使って複数のシートを綴じる綴じ処理に比べて綴じる力が弱く、綴じることができるシートの上限枚数が少ない。一方、針を使わずにシートを綴じる綴じ処理は、針を使わないので省資源である、針を取らずに印刷物を破棄することができる、というメリットを有する。ユーザは、針を使ってシートを綴じる綴じ処理と針を使わずにシートを綴じる綴じ処理を用途に応じて使い分ける。
【０００６】
しかしながら、針を使ってシートを綴じる綴じ処理と針を使わずにシートを綴じる綴じ処理では、綴じることができるシートの上限枚数が異なるため、ユーザが綴じ処理を使い間違えることもありうる。例えば、複数の原稿をコピーする場合、原稿の枚数やコピーの設定によっては、印刷されるシートの枚数がユーザによって指定された綴じ処理で綴じることができる上限枚数を超えてしまい、綴じ処理が実行できないこともある。
【０００７】
そこで、本発明では、複数種類の綴じ処理のそれぞれで何枚のシートを綴じることができるのかをユーザが確認できるようにする。または、原稿の画像をシートに印刷して、印刷されたシートを綴じる場合、複数種類の綴じ処理のそれぞれで何枚分の原稿に対応するシートを綴じることができるのかをユーザが確認できるようにする。
【課題を解決するための手段】
【０００８】
本発明に係る画像処理装置は、シートに画像を印刷し、複数種類の綴じ処理のそれぞれを実行する複数の綴じ部のうちの１つにシートを綴じさせることができる画像処理装置であって、シートに画像を印刷する印刷手段と、前記印刷手段によって画像が印刷されたシートを前記複数の綴じ部のうちの１つに綴じさせる制御手段と、シートを綴じるのに使用する綴じ処理をユーザが指定するのを可能にする指定手段と、前記ユーザによって指定された綴じ処理で綴じることができるシートの枚数と、前記ユーザによって指定されなかった綴じ処理で綴じることができるシートの枚数とをそれぞれ前記ユーザに通知する通知手段を有することを特徴とする。
【０００９】
または、本発明に係る画像処理装置は、シートに画像を印刷し、複数種類の綴じ処理のそれぞれを実行する複数の綴じ部のうちの１つにシートを綴じさせることができる画像処理装置であって、原稿の画像を読み取る読取手段と、シートに前記画像を印刷する印刷手段と、前記印刷手段によって画像が印刷されたシートを前記複数の綴じ部のうちの１つに綴じさせる制御手段と、シートを綴じるのに使用する綴じ処理をユーザが指定するのを可能にする指定手段と、前記ユーザによって指定された綴じ処理を使用できる原稿の枚数と、前記ユーザによって指定されなかった綴じ処理を使用できる原稿の枚数とをそれぞれ前記ユーザに通知する通知手段を有することを特徴とする。
【００１０】
または、本発明に係る情報処理装置は、シートへの画像の印刷を画像処理装置にさせて、画像が印刷されたシートの綴じ処理を複数種類の綴じ処理のそれぞれを実行する複数の綴じ部のうちの１つにさせるための印刷データを、前記画像処理装置に送信する情報処理装置であって、前記画像処理装置によって画像が印刷されたシートを綴じるのに使用する綴じ処理をユーザが指定するのを可能にする指定手段と、前記ユーザによって指定された綴じ処理で綴じることができるシートの枚数と、前記ユーザによって指定されなかった綴じ処理で綴じることができるシートの枚数とをそれぞれ前記ユーザに通知する通知手段を有することを特徴とする。
【発明の効果】
【００１１】
本発明によれば、複数種類の綴じ処理のそれぞれで何枚のシートを綴じることができるのかをユーザが確認できるようにする。または、原稿の画像をシートに印刷して、印刷されたシートを綴じる場合、複数種類の綴じ処理のそれぞれで何枚分の原稿に対応するシートを綴じることができるのかをユーザが確認できるようにする。
【図面の簡単な説明】
【００１２】
【図１】本発明に係る画像処理装置の構成を示すブロック図である。
【図２】画像処理装置の断面図である。
【図３】第２の綴じ部で行われる第２の綴じ処理を説明する図である。
【図４】綴じられた複数のシートの断面を示す図である。
【図５】綴じられた複数のシートを上から見た図である。
【図６】操作部１０５に表示されるユーザインターフェース画面の一例を示す図である。
【図７】綴じ処理の種類を選択するためのユーザインターフェース画面の一例を示す図である。
【図８】コピーの実行を制御する制御方法を示すフローチャートである。
【図９】コピーの実行を制御する制御方法を示すフローチャートである。
【図１０】コピーの設定をするためのユーザインターフェース画面の一例を示す図である。
【図１１】上限枚数を表示するユーザインターフェース画面の一例を示す図である。
【図１２】用紙を選択するためのユーザインターフェース画面の一例を示す図である。
【図１３】ページ集約を設定するためのユーザインターフェース画面の一例を示す図である。
【図１４】両面コピーの種類を選択するためのユーザインターフェース画面の一例を示す図である。
【図１５】上限枚数を計算する計算処理のフローチャートを示す図である。
【図１６】上限枚数を計算する別の計算処理のフローチャートを示す図である。
【図１７】上限枚数を計算するために用いるテーブルの一例を示す図である。
【図１８】各給紙部に格納されている用紙のサイズとタイプを示すテーブルの一例である。
【図１９】原稿の上限枚数を計算する計算処理のフローチャートを示す図である。
【図２０】原稿の上限枚数を計算するために用いるテーブルの一例を示す図である。
【図２１】原稿の上限枚数に関するメッセージを表示するユーザインターフェース画面の一例を示す図である。
【図２２】本発明に係る情報処理装置の構成を示すブロック図である。
【図２３】印刷データを画像処理装置に送信する制御方法を示すフローチャートである。
【図２４】印刷データを画像処理装置に送信する制御方法を示すフローチャートである。
【図２５】Ｓ２３０１で表示されるユーザインターフェース画面の一例を示す図である。
【図２６】仕上げを設定するためのユーザインターフェース画面の一例を示す図である。
【図２７】上限枚数を表示するユーザインターフェース画面の一例を示す図である。
【図２８】第１の綴じ部で行われる第１の綴じ処理を説明する図である。
【発明を実施するための形態】
【００１３】
＜第１の実施形態＞
以下、図面を用いて本発明に係る実施形態を説明する。
【００１４】
図１は、本発明に係る画像処理装置の構成を示すブロック図である。画像処理装置は、シート上の画像を読み取る読取機能、シートに画像を印刷する印刷機能を有する。用紙処理装置は画像処理装置に接続し、シートを綴じたり折ったりする後処理機能を有する。図１では、画像処理装置が用紙処理装置をシート処理部として有する例を示す。ただし、用紙処理装置は画像処理装置と着脱可能であってもよい。シートには、普通紙や厚紙などの用紙、ＯＨＰシートなどが含まれる。
【００１５】
ＣＰＵ１０１は画像処理装置の制御部である。ＣＰＵ１０１はプログラムを実行して画像処理装置全体を制御する。ＲＯＭ１０２は、ＣＰＵ１０１で実行可能な制御プログラムを格納する。ＳＲＡＭ１０３は、ユーザが登録した設定値や画像処理装置の管理データを格納したり、ＣＰＵ１０１のワーク用バッファとして機能したりする。ＳＲＡＭ１０３は電池で駆動可能であり、不揮発性のメモリである。従って、画像処理装置の電源が切れても、ＳＲＡＭ１０３に記憶されている情報は消えない。ＤＲＡＭ１０４は、ＣＰＵ１０１によって実行されるプログラムの制御変数を格納する。画像処理装置の種類によってはＳＲＡＭ１０３の代わりにハードディスクドライブ（ＨＤＤ）が用いられることもある。
【００１６】
操作部１０５はユーザに対して情報を表示したり、ユーザからの指示を入力したりする。そのため、操作部１０５は、後述するユーザインターフェース画面を表示するタッチパネルディスプレイとスタートボタンを有する。タッチパネルディスプレイの代わりに、表示ディスプレイと各種のハードキーを有していいてもよい。
【００１７】
読取部１０６は、シート上の画像を読み取って、その画像をバイナリーデータなどの画像データに変換する。読取部１０６によって生成された画像データはＳＲＡＭ１０３に格納される。その後、画像データは外部装置に送信されたり、用紙に印刷されたりする。印刷部１０７は画像データに基づく画像をシートに印刷する。コピーの場合には、読取部１０６がシート上の画像を読み取って画像データを生成し、印刷部１０７が画像データに基づく画像をシートに印刷する。
【００１８】
通信部１０８は画像データを外部装置に送信したり、画像データを外部装置から受信したりする。通信部１０８は、有線ＬＡＮや無線ＬＡＮなどのネットワークを介して外部のコンピュータと通信したり、ＵＳＢなどのローカルインタフェースを介して外部のコンピュータと通信したり、電話回線を介して外部のファクシミリ装置と通信したりする。通信部１０８によって受信された画像データはＳＲＡＭ１０３に格納される。
【００１９】
データバス１１０は各種デバイス間で画像データや制御信号を転送する。
【００２０】
印刷部１０７はシート処理部１０９と接続していて、印刷されたシートをシート処理部１０９に搬送する。また、シート処理部１０９は印刷部１０７を介してＣＰＵ１０１からの制御コマンドを受信し、その制御コマンドに従ってシートに後処理を施す。例えば、複数のシートを揃えたり、複数のシートを複数のトレイに分けたり、複数のシートを綴じたりする。本実施形態では、シート処理部１０９は、複数のシートを針で綴じる第１の綴じ処理と針を使わずに複数のシートを綴じる第２の綴じ処理とのうちの少なくとも１つを実行可能である。
【００２１】
図２は画像処理装置の断面図である。図２では、ＣＰＵ１０１、ＲＯＭ１０２、ＳＲＡＭ１０３、ＤＲＡＭ１０４、操作部１０５、読取部１０６、通信部１０８の説明は省略する。
【００２２】
図２では、シート処理部１０９は画像処理装置の筺体内部に配置されている。ただし、シート処理部１０９の配置は図２の例に限らない。シート処理部１０９が画像処理装置に隣接するように接続されていてもよい。
【００２３】
給紙部２０１及び給紙部２０２はそれぞれ、シートを格納する。図２では、画像処理装置は２つの給紙部を有しているが、給紙部の数は２つに限らない。搬送ローラ２０３は給紙部２０１に格納されているシートを印刷部１０７に搬送する。また、搬送ローラ２０４は給紙部２０２に格納されているシートを印刷部１０７に搬送する。印刷部１０７は、搬送されてきたシートの第１面に画像を印刷する。印刷部１０７は、インクをシートに吹き付けて画像を印刷するインクジェット方式を採用していても、トナーをシートに定着させて画像を印刷する電子写真方式を採用していてもよい。
【００２４】
片面印刷の場合には、印刷されたシートは搬送ローラ２０５に導かれ、搬送ローラ２０５はシートをシート処理部１０９に搬送する。搬送ローラ２０６はシートを第１の綴じ部または第２の綴じ部に搬送する。
【００２５】
図２では、シート処理部１０９には２つの綴じ部が併設されている。第１の綴じ部はステイプラと呼ばれ、金属針を使って複数のシートを綴じる。第２の綴じ部は、針を使わずに複数のシートを綴じる。第２の綴じ部の詳細は後述する。綴じ処理が行われる場合には、複数のシートのそれぞれがシート処理部１０９に搬送され、シート処理部１０９はその複数のシートを保持し、第１の綴じ部または第２の綴じ部が、保持された複数のシートを綴じる。図２では、シート処理部１０９は第１の綴じ部と第２の綴じ部とを備えるが、第２の綴じ部だけを備えていてもよい。
【００２６】
シートはシート処理部１０９を通過した後、排紙部２０７に排出される。
【００２７】
両面印刷の場合には、印刷されたシートは搬送ローラ２０８に導かれ、搬送ローラ２０８はシートを搬送ローラ２０９に搬送する。搬送ローラ２０９はシートを反転パス２１０に搬送する。シートの後端が搬送ローラ２０９に到達すると、搬送ローラ２０９は逆回転し始め、シートを搬送ローラ２１１に搬送する。搬送ローラ２１１は両面印刷用搬送パス２１２を介してシートを搬送ローラ２１３に搬送する。搬送ローラ２１３はシートを印刷部１０７に搬送する。印刷部１０７はシートの第２面に画像を印刷する。両面印刷されたシートは搬送ローラ２０５に導かれ、搬送ローラ２０５はシートをシート処理部１０９に搬送する。
【００２８】
図２８は、第１の綴じ部で行われる第１の綴じ処理を説明する図である。第１の綴じ処理は、従来から知られているステイプル処理である。第１の綴じ処理では、複数のシート２８０２に針２８０１を突き刺して、複数のシートを綴じる。
【００２９】
図３は、第２の綴じ部で行われる第２の綴じ処理を説明する図である。第２の綴じ処理では、複数のシートの上下から圧力をかけて、複数のシートを密着させて綴じる。図３（ａ）は、複数のシートが綴じ位置にセットされて第２の綴じ部が綴じ位置に移動した状態を示す。
【００３０】
３０３は複数のシートを示す。上金型３０１は複数のシートを上から押さえつける。上金型３０１には複数の凸形状の刃３０２が並んでいて、それぞれの刃３０２がシートに圧力をかける。下金型３０５は複数のシートを下から押さえつける。下金型３０５には、複数の刃３０２に対応した複数の凹部３０４が並んでいて、それぞれの凹部３０４が刃３０２を受け止める。
【００３１】
図３（ｂ）は、上金型３０１と下金型３０５が複数のシートを上下方向から加圧した状態を示す。上金型３０１と下金型３０５が複数のシートに加圧することで、複数のシートを綴じることが可能になっている。複数の刃３０２と複数の凹部３０４がシートの複数箇所を加圧することで、シートがはがれにくくなっている。
【００３２】
図４は、綴じられた複数のシートの断面を示す図である。図５は、綴じられた複数のシートを上から見た図である。５０１は綴じ位置を示す。綴じ位置５０１では、複数のシートが刃３０２と凹部３０４によって加圧されて潰されることで綴じられている。第２の綴じ処理では複数のシートを加圧して綴じるため、第２の綴じ処理で綴じることができるシートの枚数は第１の綴じ処理で綴じることができるシートの枚数よりも少ない。
【００３３】
画像処理装置が第１の綴じ処理と第２の綴じ処理とをそれぞれ実行可能である場合、ユーザはどちらの綴じ処理を実行するかを選択することができる。
【００３４】
図６は、操作部１０５に表示されるユーザインターフェース画面の一例を示す図である。図６のユーザインターフェース画面で、ユーザはコピー時の仕上げを設定する。画像処理装置が第１の綴じ処理と第２の綴じ処理とをそれぞれ実行可能である場合、ユーザがキー６０１を押下すると、綴じ処理の種類を選択するためのユーザインターフェース画面が操作部１０５に表示される。図７は、綴じ処理の種類を選択するためのユーザインターフェース画面の一例を示す図である。キー７０１が第１の綴じ処理を選択するためのキーであり、キー７０２が第２の綴じ処理を選択するためのキーである。
【００３５】
図８、図９及び図１５は、コピーの実行を制御する制御方法を示すフローチャートである。ＣＰＵ１０１がフローチャートに基づく制御プログラムを実行することにより、この制御方法が実現される。
【００３６】
ユーザが操作部１０５に表示されるメイン画面でコピーを選択すると、ＣＰＵ１０１がこの制御プログラムを実行する。まず、ＣＰＵ１０１は、コピーの設定をするためのユーザインターフェース画面を表示するよう操作部１０５を制御する（Ｓ８０１）。
【００３７】
図１０は、Ｓ８０１で表示されるユーザインターフェース画面の一例を示す図である。図１０の画面で、ユーザは、カラーコピーまたはモノクロコピーの選択、コピーの倍率の設定、印刷に用いる用紙の種類の選択、両面コピーの種類の選択などをすることができる。ユーザが仕上げを設定したい場合には、キー７０１を押下する。
【００３８】
ＣＰＵ１０１は、図１０の画面でキー１００１が押下されたかどうかを判断する（Ｓ８０２）。キー１００１が押下されていない場合には、ＣＰＵ１０１は図９のフローチャートに進む（Ｓ８１３）。
【００３９】
キー１００１が押下された場合、ＣＰＵ１０１は、図６に示すユーザインターフェース画面を表示するよう操作部１０５を制御する（Ｓ８０３）。そして、ＣＰＵ１０１は、図６の画面でキー６０１〜６０３のいずれが押下されたかを判断する（Ｓ８０４）。キー６０４は綴じ位置を設定するためのキーである。また、キー６０５及び６０６は綴じ処理以外の仕上げ処理を選択するためのキーである。図８では、キー６０４〜６０６が押下された場合の制御については説明を省略する。
【００４０】
キー６０１が押下された場合は、ＣＰＵ１０１は、シート処理部１０９が複数種類の綴じ部を有するか否かを判断する（Ｓ８０５）。シート処理部１０９が複数種類の綴じ部、すなわち第１の綴じ部と第２の綴じ部を有する場合、ＣＰＵ１０１は、図７のユーザインターフェース画面を表示するよう操作部１０５を制御する（Ｓ８０６）。ユーザが図７の画面で第１の綴じ処理及び第２の綴じ処理のいずれかを選択すると、ＣＰＵ１０１は、ユーザによって選択された綴じ処理で綴じることができるシートの上限枚数を計算する（Ｓ８０７）。さらに、ＣＰＵ１０１は、ユーザによって選択されなかった綴じ処理で綴じることができるシートの上限枚数を計算する（Ｓ８０８）。Ｓ８０７及びＳ８０８での計算方法は後述する。
【００４１】
ＣＰＵ１０１は、図７の画面でキー７０３〜７０５のいずれが押下されたかを判断する（Ｓ８０９）。キー７０３が押下された場合には、ＣＰＵ１０１は仕上げの設定をすることなしにＳ８０１に戻る。キー７０４が押下された場合には、ＣＰＵ１０１は、
ユーザによって設定または選択された内容を設定値としてＳＲＡＭ１０３に保持しつつ、Ｓ８０３に戻る。キー７０５が押下された場合には、ＣＰＵ１０１は、ユーザによって設定または選択された内容を設定値としてＳＲＡＭ１０３に保持しつつ、Ｓ８０７及びＳ８０８で計算した上限枚数を表示するよう操作部１０５を制御する（Ｓ８１０）。
【００４２】
図１１は、上限枚数を表示するユーザインターフェース画面の一例を示す図である。図１１の例では、コピーの設定をするためのユーザインターフェース画面が表示されるとともに、シートの上限枚数に関するメッセージが表示されている。図１１は、画像処理装置が第１の綴じ処理と第２の綴じ処理の両方を有し、かつユーザが第２の綴じ処理を選択している場合の例を示す。
【００４３】
ユーザは、シートの上限枚数に関するメッセージを読んで、自身が指定した綴じ処理で十分であるかを判断することができる。さらに、ユーザは、自身が指定した綴じ処理以外の綴じ処理で綴じることができるシートの枚数を確認して、他の綴じ処理を使用することを検討することができる。
【００４４】
シート処理部１０９が１種類の綴じ部のみを有する場合、ＣＰＵ１０１は、シート処理部１０９で実行可能な綴じ処理で綴じることができるシートの上限枚数を計算する（Ｓ８１１）。この場合、唯一の綴じ処理が選択されたものとする。
【００４５】
図６の画面でキー６０２が押下された場合は、ＣＰＵ１０１は仕上げの設定をすることなしにＳ８０１に戻る。図６の画面でキー６０３が押下された場合は、ＣＰＵ１０１は、綴じ処理が仕上げ処理として選択されているかどうかを判断する（Ｓ８１２）。綴じ処理が選択されていなければ、ＣＰＵ１０１は、ユーザによって設定または選択された内容を設定値としてＳＲＡＭ１０３に保持しつつ、Ｓ８０１に戻る。綴じ処理が選択されていれば、ＣＰＵ１０１は、Ｓ８０７及びＳ８０８で計算した上限枚数を表示するよう操作部１０５を制御する（Ｓ８１０）。シート処理部１０９が１種類の綴じ部のみを有する場合には、ＣＰＵ１０１は、Ｓ８１１で計算した上限枚数を表示するよう操作部１０５を制御する（Ｓ８１０）。
【００４６】
次に図９を説明する。
【００４７】
図１０の画面でキー１００１が押下されていない場合、ＣＰＵ１０１は、図１０の画面でキー１００２が押下されたかどうかを判断する（Ｓ９０１）。キー１００２が押下されている場合、ＣＰＵ１０１は、印刷に用いられる用紙を選択するためのユーザインターフェース画面を表示するよう操作部１０５を制御する（Ｓ９０２）。
【００４８】
図１２は、Ｓ９０２で表示されるユーザインターフェース画面の一例を示す図である。図１２の画面で、ユーザは複数の給紙部のうちの少なくとも一つを選択することで、印刷に用いる用紙を選択する。ユーザが「自動」キーを押下すると、画像処理装置は、印刷に用いる用紙を原稿のサイズ等に基づいて自動的に選択する。ユーザがＯＫキーを押下すると、ＣＰＵ１０１はＳ８０１に戻る。
【００４９】
図１０の画面でキー１００２が押下されていない場合、ＣＰＵ１０１は、図１０の画面でキー１００３が押下されたかどうかを判断する（Ｓ９０３）。キー１００３が押下されている場合、ＣＰＵ１０１は、ページ集約を設定するためのユーザインターフェース画面を表示するよう操作部１０５を制御する（Ｓ９０４）。
【００５０】
図１３は、Ｓ９０４で表示されるユーザインターフェース画面の一例を示す図である。図１３の画面で、ユーザは１枚のシートに割り付けるページ数を選択することができる。ユーザがＯＫキーを押下すると、ＣＰＵ１０１はＳ８０１に戻る。ユーザが設定取消キーを押下すると、ＣＰＵ１０１はページ集約を設定することなくＳ８０１に戻る。
【００５１】
図１０の画面でキー１００３が押下されていない場合、ＣＰＵ１０１は、図１０の画面でキー１００４が押下されたかどうかを判断する（Ｓ９０５）。キー１００４が押下されている場合、ＣＰＵ１０１は、両面コピーの種類を選択するためのユーザインターフェース画面を表示するよう操作部１０５を制御する（Ｓ９０６）。
【００５２】
図１４は、Ｓ９０６で表示されるユーザインターフェース画面の一例を示す図である。図１４の画面で、ユーザは、２枚の原稿の片面を１枚のシートの両面にコピーすること、１枚の原稿の両面を１枚のシートの両面にコピーすること、１枚の原稿の両面を２枚のシートの片面にコピーすること、のいずれかを選択することができる。ユーザがＯＫキーを押下すると、ＣＰＵ１０１はＳ８０１に戻る。ユーザが設定取消キーを押下すると、ＣＰＵ１０１は両面コピーの種類を選択することなくＳ８０１に戻る。
【００５３】
図１０の画面でキー１００４が押下されていない場合、ＣＰＵ１０１は、スタートボタン（不図示）が押下されたかどうかを判断する（Ｓ９０７）。スタートボタンが押下された場合には、ＣＰＵ１０１は、ＳＲＡＭ１０３に保持されている設定値に従って読取部１０６及び印刷部１０７を制御し、コピーを実行する（Ｓ９０８）。
【００５４】
スタートボタンが押下されていない場合、ＣＰＵ１０１はＳ８０１に戻る。図１０の画面では、その他の設定もすることが可能であるが、図１０ではその他の設定について説明を省略する。
【００５５】
計算対象の綴じ処理で綴じることができるシートの上限枚数の計算方法を説明する。
【００５６】
図１５は、上限枚数を計算する計算処理のフローチャートを示す図である。Ｓ８０７、Ｓ８０８及びＳ８１１では、ＣＰＵ１０１はこの計算処理を実行する。
【００５７】
まず、ＣＰＵ１０１は、計算対象の綴じ処理が第１の綴じ処理であるか第２の綴じ処理であるかを判断する（Ｓ１５０１）。計算対象の綴じ処理が第１の綴じ処理である場合、ＣＰＵ１０１は上限枚数を５０枚と決定する（Ｓ１５０２）。一方、計算対象の綴じ処理が第２の綴じ処理である場合、ＣＰＵ１０１は、上限枚数を１４枚と決定する（Ｓ１５０３）。
【００５８】
第１の綴じ処理で綴じることができる上限枚数は第１の綴じ部の仕様に応じて変化する。同様に、第２の綴じ処理で綴じることができる上限枚数は第２の綴じ部の仕様に応じて変化する。
【００５９】
図１６は、上限枚数を計算する別の計算処理のフローチャートを示す図である。図１６の例では、印刷に使用されるシートの種類を考慮して上限枚数を決定する。例えば、厚紙は普通紙に比べて厚いため、綴じられた厚紙は綴じられた普通紙よりもはがれやすい。よって、綴じることができる厚紙の上限枚数は普通紙よりも小さい。また、Ａ３の普通紙はＡ４の普通紙よりも面積が大きくて重いため、綴じられたＡ３の普通紙は綴じられたＡ４の普通紙よりもはがれやすい。よって、綴じることができるＡ３の普通の上限枚数はＡ４の普通紙よりも小さい。図１６の実施例では、用紙のサイズやタイプによってはがれやすさが異なることを考慮して、上限枚数を決めることができる。
【００６０】
図１７は、上限枚数を計算するために用いるテーブルの一例を示す図である。図１７のテーブルは、用紙サイズ及び用紙タイプごとに各綴じ処理の上限枚数を記憶している。例えば、印刷に用いる用紙のサイズがＡ３で用紙のタイプが普通紙である場合、第１の綴じ処理で綴じることができるシートの上限枚数は３８枚である。図１７のテーブルはＳＲＡＭ１０３に記憶されている。図１７のテーブルに記載されている上限枚数は固定であっても、ユーザによって変更可能であってもよい。
【００６１】
ＣＰＵ１０１は、計算対象の綴じ処理が第１の綴じ処理であるか第２の綴じ処理であるかを判断する（Ｓ１６０１）。
【００６２】
計算対象の綴じ処理が第１の綴じ処理である場合、ＣＰＵ１０１は、図１２の画面で「自動」が選択されたかどうかを判断する（Ｓ１６０２）。「自動」が選択されていない場合、ＣＰＵ１０１は、図１７のテーブルを参照して、ユーザによって選択された給紙部に格納されている用紙のサイズ及びタイプに基づいて第１の綴じ処理の上限枚数をテーブルから取得する（Ｓ１６０３）。
【００６３】
図１８は、各給紙部に格納されている用紙のサイズとタイプを示すテーブルの一例である。図１８のテーブルはＳＲＡＭ１０３に記憶されている。図１８の例では、画像処理装置は３つの給紙カセットと３つの給紙デッキを給紙部として有している。ＣＰＵ１０１は、図１８のテーブルを参照して、ユーザによって選択された給紙部に格納されている用紙のサイズ及びタイプを決定する。
【００６４】
図１２の画面で「自動」が選択された場合、すなわち自動用紙選択が選択された場合、ＣＰＵ１０１は原稿のサイズを取得する（Ｓ１６０４）。読取部１０６はセンサーを有していて、センサーは読取部１０６に置かれた原稿のサイズを検知する。ＣＰＵ１０１はセンサーによって検知されたサイズを取得する。
【００６５】
つぎに、ＣＰＵ１０１は、各給紙部に格納されている用紙のうち、原稿とサイズが同じ用紙のタイプを取得する（Ｓ１６０５）。原稿とサイズが同じ１または複数の用紙が複数タイプある場合には、複数のタイプを取得する。そして、ＣＰＵ１０１は、図１７のテーブルを参照して、Ｓ１６０４で取得したサイズ及びＳ１６０５で取得した１または複数のタイプに基づいて第１の綴じ処理の最大の上限枚数をテーブルから取得する（Ｓ１６０６）。また、ＣＰＵ１０１は、最大の上限枚数に対応する用紙を、印刷に用いる用紙として選択する。
【００６６】
例えば、原稿のサイズがＡ４である場合、ＣＰＵ１０１は図１８のテーブルを参照して、Ａ４サイズの用紙のタイプとして、厚紙２、厚紙１及び普通紙を取得する。次に、ＣＰＵ１０１は１７のテーブルを参照して、Ａ４、厚紙２、厚紙１及び普通紙に基づいて「３８枚」（Ａ４、厚紙）、「４２枚」（Ａ４、厚紙２）及び「４６枚」（Ａ４、普通紙）を取得する。そして、ＣＰＵ１０１は、「３８枚」、「４２枚」及び「４６枚」のうちで最も大きい「４６枚」を、第１の綴じ処理の最大の上限枚数として決定する。コピーを実行する場合には、Ａ４の普通紙を用いて印刷を行う。
【００６７】
計算対象の綴じ処理が第２の綴じ処理である場合、ＣＰＵ１０１は、図１２の画面で「自動」が選択されたかどうかを判断する（Ｓ１６０７）。「自動」が選択されていない場合、ＣＰＵ１０１は、図１７のテーブルを参照して、ユーザによって選択された給紙部に格納されている用紙のサイズ及びタイプに基づいて第２の綴じ処理の上限枚数をテーブルから取得する（Ｓ１６０８）。
【００６８】
図１２の画面で「自動」が選択された場合、すなわち自動用紙選択が選択された場合、ＣＰＵ１０１は原稿のサイズを取得する（Ｓ１６０９）。つぎに、ＣＰＵ１０１は、各給紙部に格納されている用紙のうち、原稿とサイズが同じ１または複数の用紙のタイプを取得する（Ｓ１６１０）。原稿とサイズが同じ用紙が複数タイプある場合には、複数のタイプを取得する。そして、ＣＰＵ１０１は、図１７のテーブルを参照して、Ｓ１６０９で取得したサイズ及びＳ１６１０で取得した１または複数のタイプに基づいて第２の綴じ処理の最大の上限枚数をテーブルから取得する（Ｓ１６１１）。また、ＣＰＵ１０１は、最大の上限枚数に対応する用紙を、印刷に用いる用紙として選択する。
【００６９】
図８、図９、図１５及び図１７に基づく実施例では、綴じ処理で綴じられるシートの上限枚数を表示する。図１９〜２１に基づく実施例では、何枚分の原稿に対して綴じ処理を行うことができるかを表示する。例えば、綴じることができるシートの上限枚数が１０枚であっても、原稿の片面をシートの両面にコピーすることが設定されていれば、２０枚分の原稿に対して綴じ処理を行うことができる。この場合、綴じ処理可能な原稿の上限枚数は２０枚となる。
【００７０】
図１９は、原稿の上限枚数を計算する計算処理のフローチャートを示す図である。図８のＳ８０７、Ｓ８０８、Ｓ８１１で図１９の計算処理を実行することにより、原稿の上限枚数を表示できる。
【００７１】
図２０は、原稿の上限枚数を計算するために用いるテーブルの一例を示す図である。図２０のテーブルは、シート１枚当たりコピーできる原稿の枚数を印刷設定ごとに示している。「片面⇒片面」とは１枚の原稿の片面を１枚のシートの片面にコピーすることを示す。「片面⇒両面」とは２枚の原稿の片面を１枚のシートの両面にコピーすることを示す。「両面⇒両面」とは１枚の原稿の両面を１枚のシートの両面にコピーすることを示す。「両面⇒片面」とは１枚の原稿の両面を２枚のシートの片面にコピーすることを示す。図２０のテーブルはＳＲＡＭ１０３に記憶されている。
【００７２】
図１９のＳ１６０１〜Ｓ１６１１は図１７のＳ１６０１〜Ｓ１６１１と同じである。よって、図１９のフローチャートにおいてＳ１６０１〜Ｓ１６１１の説明は省略する。
【００７３】
ＣＰＵ１０１は、Ｓ１６０３、Ｓ１６０６、Ｓ１６０８またはＳ１６１１で上限枚数を取得した後、図２０のテーブルを参照して、両面コピーの種類の選択とページ集約の設定に基づいて、シート１枚当たりの原稿の枚数を取得する（Ｓ１９０１）。両面コピーの種類は図９のＳ９０６で選択される。両面コピーの種類が選択されていなければ、原稿の片面をシートの片面にコピーすることが選択されているとみなす。ページ集約は図９のＳ９０４で設定される。例えば、２枚の原稿の片面を１枚のシートの両面にコピーすること、４ページ／枚が選択されている場合、シート１枚当たりの原稿の枚数は８枚になる。
【００７４】
次に、ＣＰＵ１０１は、Ｓ１６０３、Ｓ１６０６、Ｓ１６０８またはＳ１６１１で取得した上限枚数とＳ１９０１で取得した枚数とを乗算して、綴じ処理可能な原稿の上限枚数を求める。例えば、Ａ４、普通紙、第２の綴じ処理、２枚の原稿の片面を１枚のシートの両面にコピーすること、４ページ／枚が選択されている場合、綴じ処理可能な原稿の上限枚数は１０４枚（＝１３×８）である。
【００７５】
図２１は、原稿の上限枚数に関するメッセージを表示するユーザインターフェース画面の一例を示す図である。
【００７６】
ユーザは、原稿の上限枚数に関するメッセージを読んで、何枚分の原稿に対応するシートを綴じることができるかを確認して、自身が指定した綴じ処理で十分であるかを判断することができる。例えば、原稿の枚数がメッセージに記載されている原稿の上限枚数よりも多い場合には、ユーザは、他の綴じ処理の選択やコピーの設定の変更を検討することができる。
【００７７】
図１１及び２１では、原稿またはシートの上限枚数をユーザに通知する通知手段として、原稿またはシートの上限枚数を表示する表示手段が挙げられている。しかし、原稿またはシートの上限枚数を音声でユーザに通知するようにしてもよい。
【００７８】
＜第２の実施形態＞
第１の実施形態では、本発明に係る画像処理装置を示した。しかしながら、本発明は、画像処理装置に印刷データを送信する情報処理装置にも適用可能である。
【００７９】
図２２は、本発明に係る情報処理装置の構成を示すブロック図である。情報処理装置は印刷データを画像処理装置に送信して、印刷データに基づく印刷を画像処理装置に実行させる機能を有する。
【００８０】
ＣＰＵ２２０１は情報処理装置の制御部である。ＣＰＵ２２０１はプログラムを実行して情報処理装置全体を制御する。ＲＯＭ２２０２は、ＣＰＵ２２０１で実行可能な制御プログラムを格納する。ＨＤＤ２２０３は、ユーザが登録した設定値、情報処理装置の管理データ、文書アプリケーションや計算アプリケーションなどのアプリケーションプログラム、画像処理装置に印刷データを送信するためのドライバプログラムなどを格納する。ＲＡＭ２２０４は、ＣＰＵ２２０１によって実行されるプログラムの制御変数を格納する。また、ＲＡＭ２２０４はＣＰＵ２２０１のワーク用バッファとしても機能する。
【００８１】
キーボード２２０５はユーザからの指示を入力したり、文字や数字などを入力したりするのに使われる。キーボード２２０５のほかにマウスが用意されていてもよい。ディスプレイ２２０６は、ユーザに対して情報を表示する。
【００８２】
通信部２２０７は外部装置と通信する。通信部２２０７は印刷データを画像処理装置に送信したり、画像データを画像処理装置から受信したりする。通信部２２０７は、有線ＬＡＮや無線ＬＡＮなどのネットワークを介して外部装置と通信したり、ＵＳＢなどのローカルインタフェースを介して外部装置と通信したりする。データバス２２０８は各種デバイス間でデータや制御信号を転送する。
【００８３】
図２３及び図２４は、印刷データを画像処理装置に送信する制御方法を示すフローチャートである。ＣＰＵ２２０１が、このフローチャートに基づくドライバプログラムを実行することにより、この制御方法が実現される。
【００８４】
ユーザがデータの印刷を指示すると、ＣＰＵ２２０１はドライバプログラムを実行する。まず、ＣＰＵ２２０１は、印刷の設定をするためのユーザインターフェース画面を表示するようディスプレイ２２０６を制御する（Ｓ２３０１）。
【００８５】
図２５は、Ｓ２３０１で表示されるユーザインターフェース画面の一例を示す図である。図２５の画面で、ユーザは、原稿サイズの設定、印刷される用紙サイズの設定、部数の設定、印刷の向きの設定、ページレイアウト（ページ集約）の設定などをすることができる。ユーザが仕上げを設定したい場合には、タブ２５０１を押下する。
【００８６】
ＣＰＵ２２０１は、図２５の画面でタブ２５０１が押下されたかどうかを判断する（Ｓ２３０２）。タブ２５０１が押下されていない場合には、ＣＰＵ１０１は図２４のフローチャートに進む（Ｓ２３１１）。
【００８７】
タブ２５０１が押下された場合、ＣＰＵ２２０１は、図２６に示すユーザインターフェース画面を表示するようディスプレイ２２０６を制御する（Ｓ２３０３）。図２６の画面では、ユーザは片面印刷または両面印刷の選択や綴じ処理の種類の選択を行うことができる。ＣＰＵ２２０１は、図２６の画面でキー２６０１〜２６０４のいずれが押下されたかを判断する（Ｓ２３０４）。
【００８８】
図２６の画面でキー２６０１が押下された場合は、ＣＰＵ２２０１は、シート処理部１０９が複数種類の綴じ部を有するか否かを判断する（Ｓ２３０５）。シート処理部１０９が複数種類の綴じ部、すなわち第１の綴じ部と第２の綴じ部を有する場合、ＣＰＵ２２０１は、プルダウンメニュー２６０５を表示するようディスプレイ２２０６を制御する（Ｓ２３０６）。ユーザがプルダウンメニュー２６０５で第１の綴じ処理及び第２の綴じ処理のいずれかを選択すると、ＣＰＵ２２０１は、ユーザによって選択された綴じ処理で綴じることができるシートの上限枚数を計算する（Ｓ２３０７）。さらに、ＣＰＵ２２０１は、ユーザによって選択されなかった綴じ処理で綴じることができるシートの上限枚数を計算する（Ｓ２３０８）。Ｓ２３０７及びＳ２３０８での計算方法は第１の実施形態で説明した通りである。さらに、ＣＰＵ２２０１は、Ｓ８０７及びＳ８０８で計算した上限枚数を表示するようディスプレイ２２０６を制御する（Ｓ２３０９）。
【００８９】
図２７は、上限枚数を表示するユーザインターフェース画面の一例を示す図である。図２７の例では、シートの上限枚数に関するメッセージが表示されている。図２７は、画像処理装置が第１の綴じ処理と第２の綴じ処理の両方を有し、かつユーザが第２の綴じ処理を選択している場合の例を示す。
【００９０】
ユーザは、シートの上限枚数に関するメッセージを読んで、自身が指定した綴じ処理で十分であるかを判断することができる。さらに、ユーザは、自身が指定した綴じ処理以外の綴じ処理で綴じることができるシートの枚数を確認して、他の綴じ処理を使用することを検討することができる。
【００９１】
図２６の画面でキー２６０２が押下された場合、ＣＰＵ２２０１は、ユーザによって選択された内容を設定値としてＨＤＤ２２０３に保持しつつ、図２４のＳ２４０４に進む。図２６の画面でキー２６０３が押下された場合、ＣＰＵ２２０１は仕上げの設定をすることなしにＳ２３０１に戻る。図２６の画面でキー２６０４が押下された場合、ＣＰＵ２２０１は、ユーザによって選択された内容を設定値としてＨＤＤ２２０３に保持しつつ、Ｓ２３０１に戻る。
【００９２】
シート処理部１０９が１種類の綴じ部のみを有する場合、ＣＰＵ２２０１は、シート処理部１０９で実行可能な綴じ処理で綴じることができるシートの上限枚数を計算する（Ｓ２３１０）。Ｓ２３１０での計算方法は第１の実施形態で説明した通りである。この場合、唯一の綴じ処理が選択されたものとする。そして、ＣＰＵ２２０１は、Ｓ２３１０で計算した上限枚数を表示するようディスプレイ２２０６を制御する（Ｓ２３０９）。
【００９３】
次に図２４を説明する。
【００９４】
図２５の画面でタブ２５０１が押下されていない場合、ＣＰＵ２２０１は、図２５の画面でタブ２５０２が押下されたかどうかを判断する（Ｓ２４０１）。タブ２５０２が押下されている場合、ＣＰＵ２２０１は、印刷に用いられる用紙を選択するためのユーザインターフェース画面を表示するようディスプレイ２２０６を制御する（Ｓ２４０２）。
【００９５】
Ｓ２４０２で表示される画面では、ユーザは複数の給紙部のうちの少なくとも一つを選択することで、印刷に用いる用紙を選択する。ユーザが「自動」を選択すると、画像処理装置は、印刷に用いる用紙を原稿のサイズ等に基づいて自動的に選択する。
【００９６】
図２５の画面でタブ２５０２が押下されていない場合、ＣＰＵ２２０１は、図２５の画面でキー２５０３が押下されたかどうかを判断する（Ｓ２４０３）。キー２５０３が押下されている場合、キー２５０３が押下された場合には、ＣＰＵ２２０１は、ＨＤＤ２２０３に保持されている設定値に従って印刷データを生成する（Ｓ２４０４）。さらに、ＣＰＵ２２０１は印刷データを画像処理装置に送信するよう通信部２２０７を制御する（Ｓ２４０４）。画像処理装置は印刷データに基づいて画像をシートに印刷するとともに、印刷データで指定された綴じ処理を実行するよう綴じ部を制御する。
【００９７】
キー２５０３が押下されていない場合、ＣＰＵ２２０１はＳ２３０１に戻る。図２５の画面では、その他の設定もすることが可能であるが、その他の設定については説明を省略する。
【００９８】
Ｓ２３０７、Ｓ２３０８及びＳ２３１０では、図１５、図１６または図１７に記載された計算方法を実行することが可能である。また、第２の実施形態における原稿とは、アプリケーションプログラムによって生成された文書データである。
【００９９】
第２の実施形態では、情報処理装置から画像処理装置に印刷データを送信する場合でも、複数種類の綴じ処理のそれぞれで何枚のシートを綴じることができるのかをユーザが確認できるようにする。または、原稿となる文書データをシートに印刷して、印刷されたシートを綴じる場合、複数種類の綴じ処理のそれぞれで何ページ分の文書データに対応するシートを綴じることができるのかをユーザが確認できるようにする。
【０１００】
＜その他の実施形態＞
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１０１】
また、各フローチャートに基づく処理を実行するよう設計された制御回路がＣＰＵ１０１の代わりに用いられていてもよい。
【符号の説明】
【０１０２】
１０１  ＣＰＵ
１０２  ＲＯＭ
１０３  ＳＲＡＭ
１０４  ＤＲＡＭ
１０５  操作部
１０６  読取部
１０７  印刷部
１０８  通信部
１０９  シート処理部
２０１  給紙部
２０２  給紙部
２０３  搬送ローラ
２０４  搬送ローラ
２０５  搬送ローラ
２０６  搬送ローラ
２０７  排紙部
２０８  搬送ローラ
２０９  搬送ローラ
２１０  反転パス
２１１  搬送ローラ
２１２  両面印刷用搬送パス
２１３  搬送ローラ
【図１】
2014008642.tif 000003
【図２】
2014008642.tif 000004
【図３】
2014008642.tif 000005
【図４】
2014008642.tif 000006
【図５】
2014008642.tif 000007
【図６】
2014008642.tif 000008
【図７】
2014008642.tif 000009
【図８】
2014008642.tif 000010
【図９】
2014008642.tif 000011
【図１０】
2014008642.tif 000012
【図１１】
2014008642.tif 000013
【図１２】
2014008642.tif 000014
【図１３】
2014008642.tif 000015
【図１４】
2014008642.tif 000016
【図１５】
2014008642.tif 000017
【図１６】
2014008642.tif 000018
【図１７】
2014008642.tif 000019
【図１８】
2014008642.tif 000020
【図１９】
2014008642.tif 000021
【図２０】
2014008642.tif 000022
【図２１】
2014008642.tif 000023
【図２２】
2014008642.tif 000024
【図２３】
2014008642.tif 000025
【図２４】
2014008642.tif 000026
【図２５】
2014008642.tif 000027
【図２６】
2014008642.tif 000028
【図２７】
2014008642.tif 000029
【図２８】
2014008642.tif 000030